(57)【要約】【課題】スポーツや競技に際して、着用者自身の有する身体能力を効果的に瞬発力や推進力に変換し、運動能力として発揮し易いものにした靴下を提供する。【解決手段】靴下１は、少なくとも、着用者の趾骨部に相当する部分の足底側を覆う領域７１と、着用者の中足骨頭部に相当する部分の足底側を覆う領域７２とからなる第１領域７３に配置される第１編地Ｐ１が、芯糸９２に巻糸９３を巻きつけたＦＴＹ９１のみから編成される編目９４により形成されている。【選択図】図１
2013185269.tif 000002
【特許請求の範囲】
【請求項１】
少なくとも着用者の足趾部から踵部までを覆う編地からなる靴下であって、
少なくとも、着用者の趾骨部及び中足骨頭部に相当する部分の足底側を覆う第１領域に配置される前記編地が、芯糸に巻糸を巻きつけたカバリング糸のみから編成される編目により形成されている、靴下。
【請求項２】
前記芯糸は、２０デニール以上１００デニール以下のポリウレタン長繊維であり、
前記巻糸は、単繊維径が２００ｎｍ以上１０００ｎｍ以下、総デニール数が２０以上２００以下のフィラメント糸である、
請求項１に記載の靴下。
【請求項３】
着用者の足甲側の少なくとも一部を覆う第２領域に配置される編地が、前記芯糸に巻糸を巻きつけたカバリング糸のみから編成される編目により形成されている、
請求項１又は２に記載の靴下。
【請求項４】
前記第２領域に配置される編地を形成する編目では、
前記芯糸が、２０デニール以上１００デニール以下のポリウレタン長繊維であり、
前記巻糸が、捲縮加工が施された２０デニール以上２００デニール以下のナイロン又はポリエステル長繊維である、
請求項３に記載の靴下。
【請求項５】
前記第１領域に配置される編地の足長方向における伸縮率は１００％以上２００％以下である、
請求項１〜４の何れか一項に記載の靴下。
【請求項６】
前記第１領域に配置される編地の履物の中敷に対する静止摩擦係数Ａが０．６以上に設定され、当該編地の前記着用者の足底に対する静止摩擦係数Ｂが１．０以上に設定され、当該静止摩擦係数Ａは当該静止摩擦係数Ｂよりも小さく設定されている、
請求項１〜５の何れか一項に記載の靴下。
【請求項７】
前記足趾部を覆う部分には、着用者の第一趾〜第五趾のそれぞれを収容する第１袋部〜第５袋部が形成されている、
請求項１〜６の何れか一項に記載の靴下。
【請求項８】
前記足趾部において、前記着用者の足底側から爪先を跨って足甲側にまで延びる先端部分を覆う編地は、前記芯糸に巻糸を巻きつけたカバリング糸のみから編成される編目により形成されている、
請求項１〜７の何れか一項に記載の靴下。
【請求項９】
前記足趾部の先端部近傍を覆う編地には、補強糸が挿入されている、
請求項１〜８の何れか一項に記載の靴下。
【発明の詳細な説明】
【技術分野】
【０００１】
本発明は、人体に着用される靴下に関するものである。
【背景技術】
【０００２】
従来、スポーツ用、競技用靴下として、運動機能を高めるようにした靴下が提案されている。このような靴下では、全体又は部分的に着圧力を高め、筋肉などの動きを補助することにより疲れを低減させたり、テーピング理論を応用して筋肉の動きを固定して怪我を防止することを目的とている。例えば、テーピング理論を応用した靴下として、踵から爪先に至る部分に、周方向に全周又は部分的に伸縮素材による締め付け部（テーピング加工部）を形成したものが開示されている（特許文献１、２参照）。
【先行技術文献】
【特許文献】
【０００３】
【特許文献１】特開２００２−０６９７０１号公報
【特許文献２】特開２００９−２８７１４０号公報
【発明の概要】
【発明が解決しようとする課題】
【０００４】
しかしながら、従来のスポーツ用、競技用靴下では、着用者の身体機能の補助や矯正をすることに重点が置かれている。このため、スポーツや競技に際して、不要な締め付け感を感じるとともに、踏ん張る力や蹴り出す力など着用者自身の有する身体能力を効果的に瞬発力や推進力に変換し、運動能力として発揮できる構造とはなっていない。
【０００５】
そこで、本発明の主な目的は、スポーツや競技に際して、着用者自身の有する身体能力を効果的に瞬発力や推進力に変換し、運動能力として発揮し易くした靴下を提供することにある。
【課題を解決するための手段】
【０００６】
本発明による靴下は、少なくとも着用者の足趾部から踵部までを覆う編地からなる靴下であって、少なくとも、着用者の趾骨部及び中足骨頭部に相当する部分の足底側を覆う第１領域に配置される編地が、芯糸に巻糸を巻きつけたカバリング糸のみから編成される編目により形成されている。
【０００７】
ここで、スポーツや競技に際して、着用者が有する運動能力を発揮できるようにするためには、踏ん張る力や蹴り出す力など着用者自身の有する身体能力を効果的に瞬発力や推進力に変換することが必要とされる。本願構成の靴下では、着用者の趾骨部及び中足骨頭部に相当する部分の足底側を覆う領域、言い換えれば、足趾部の足底側、及び足指の付根部と土踏まずとの間の盛り上がった足根小球を覆う領域である第１領域に配置される編地が、芯糸及び当該芯糸に巻きつけられた巻糸からなるカバリング糸のみから編成される編目によって形成される。このため、第１領域に形成される編地は、従来の表糸と裏糸とから編成される編目により形成される編地と比べて厚みが薄くなる。これにより、着用者の足根小球周辺による床面のグリップから足趾部による蹴り出しまでの踏ん張る力や蹴り出す力を、より地肌に近い状態で、瞬発力や推進力に変換することができる。また、本願構成の靴下では、従来の表糸と裏糸とから編成される編目により形成される編地の靴下と比較して重量が軽くなるので、着用者の身体能力が効率的に運動能力に変換される。この結果、着用者自身の有する身体能力を効果的に瞬発力や推進力に変換し、運動能力を発揮し易くすることができる。
【０００８】
また、本発明による靴下では、芯糸を２０デニール以上１００デニール以下のポリウレタン長繊維とすることができ、巻糸を単繊維径が２００ｎｍ以上１０００ｎｍ以下、総デニール数が２０以上２００以下のフィラメント糸とすることができる。
【０００９】
ここでいう、単繊維径とは、フィラメント糸を構成する複数のフィラメントにおける断面の直径をいう。また、ここでいう総デニール数とは、フィラメント糸を構成する１本のフィラメントのデニール数とフィラメント数との積をいう。
【００１０】
このような靴下では、直径が極めて小さい２００ｎｍ以上１０００ｎｍ以下の複数のフィラメントによって巻糸が形成されるので、当該巻糸と接触する部分（肌面又は履物）との間に大きな摩擦力が生じる。また、靴下の裏面（肌面側）と表面（肌面側とは反対側）との両方に巻糸が露出しているので、着用時に肌面と靴下との間の滑りを低減することができると共に、靴下と履物との間の滑りも低減することができる。このため、走行や歩行に際して、靴下と肌との間のグリップ力及び靴下と履物との間のグリップ力が保持され、着用者の身体能力をより効率的に運動能力に変換することができる。また、靴下を着用した際には、ずれにくくなるというメリットも提供することができる。
【００１１】
また、このような靴下では、芯糸に適度な弾性を有する糸が用いられるので、着用者の運動時の足の動きに追随できるフィット性が得られる。これにより、着用者の足と靴下との一体感を提供することができる。
【００１２】
また、本発明による靴下では、着用者の足甲側の少なくとも一部を覆う第２領域に配置される編地を、芯糸に巻糸を巻きつけたカバリング糸のみから編成される編目により形成することができる。
【００１３】
このような靴下では、靴下の重量をさらに軽量のものとすることができる。これにより、着用者自身が有する身体能力をより効率的に運動能力変換することができる。さらに、第２領域に配置される編地を上記構成の編地とすることにより、着用者の足甲に接触する部分の通気性を高めることができ、優れた速乾性を提供することができる。
【００１４】
また、本発明による靴下では、第２領域に配置される編地を形成する編目の芯糸を、２０デニール以上１００デニール以下のポリウレタン長繊維とすることができ、巻糸を、捲縮加工が施された２０デニール以上２００デニール以下のナイロン又はポリエステル長繊維とすることができる。
【００１５】
本願発明者らは、上記第２領域に配置される編地をカバリング糸のみから編成される編目により形成する場合、第１領域に配置される編地を形成する編目の芯糸と同程度のデニール数の芯糸を用いることで、靴下としての形状を維持しやすいことを見出した。本願構成の靴下では、第１領域と第２領域とに配置される編地を形成する編目の芯糸を同程度のデニール数としているので、靴下としての形状を維持しやすくなる。
【００１６】
また、本発明による靴下では、第１領域に配置される編地の足長方向における伸縮率を１００％以上２００％以下とすることができる。
【００１７】
このような靴下では、着用者の足底を覆う部分に配置される編地の運動時における伸び率が皮膚よりも大きい。これにより、ハードな競技においても編地の伸びが足の動きに追随し、物理的にも精神的にも運動を阻害することを低減することができる。
【００１８】
また、本発明による靴下では、第１領域に配置される編地の中敷に対する静止摩擦係数Ａを０．６以上に設定し、当該編地の着用者の足底に対する静止摩擦係数Ｂを１．０以上に設定し、当該静止摩擦係数Ａを当該静止摩擦係数Ｂよりも小さく設定することができる。
【００１９】
このような靴下では、肌面と靴下との間、また靴下と履物との間の滑りを低減することができるので、ハードな競技を行う場合であっても、グリップ力を発揮することができる。これにより、本願構成の靴下では、従来のランニング用ソックスよりも蹴り出し時の推進力を高く確保することができる。
【００２０】
また、本発明による靴下では、足趾部を覆う部分に、着用者の第一趾〜第五趾のそれぞれを収容する第１袋部〜第５袋部を形成することができる。
【００２１】
このような靴下では、第一趾〜第五趾がそれぞれ独立して動くため、接地時に広く地面を捉え、着用者の身体能力を効果的に瞬発力や推進力に換え、運動能力として発揮しやすくなる。
【００２２】
また、本発明による靴下では、足趾部において、着用者の足底側から爪先を跨って足甲側にまで延びる先端部分を覆う編地を、芯糸に巻糸を巻きつけたカバリング糸のみから編成される編目により形成することができる。
【００２３】
このような靴下では、走行や歩行に際して、最後の蹴り出し時にまで確実に、着用者からの身体能力を運動能力に変換することが可能となる。
【００２４】
また、本発明による靴下では、足趾部の先端部近傍を覆う編地に、補強糸を挿入することができる。
【００２５】
このような靴下では、走行や歩行に際して荷重や摩擦がかかる部分である、足趾部の先端部を覆う近傍部分が破損することを低減することができる。
【発明の効果】
【００２６】
本発明の靴下によれば、スポーツや競技に際して、着用者自身の有する身体能力を効果的に瞬発力や推進力に変換し、運動能力として発揮し易いものとすることができる。
【図面の簡単な説明】
【００２７】
【図１】本発明の一実施形態に係る靴下を示す底面図である。
【図２】本発明の一実施形態に係る靴下を示す平面図である。
【図３】第１編地を示す図と、第１編地の編目を編成するＦＴＹを示す図である。
【図４】第２編地を示す図と、第２編地の編目を編成するＦＴＹを示す図である。
【図５】本発明の一実施形態に係る靴下の作用効果を説明するための説明図である。
【図６】足の骨の部位名称及び足の表面の部位名称を説明するための説明図である。
【図７】実験例１の測定箇所を説明するための説明図である。
【図８】実験例１を説明するための説明図である。
【図９】本発明の他の実施形態に含まれる編地を示す図である。
【発明を実施するための形態】
【００２８】
以下、図面を参照して本発明の好適な実施形態について詳細に説明する。なお、各図面において同一又は相当の部分に対しては同一の符号を付すこととする。図面の寸法比率は、説明のものと必ずしも一致していない。また、説明中、「上」、「下」等の方向を示す語は、図面に示された状態に基づいた便宜的な語である。
【００２９】
図１は、本発明の一実施形態に係る靴下を示す底面図である。図２は、本発明の一実施形態に係る靴下を示す平面図である。本実施形態の靴下１は、着用者の踝までを覆う、いわゆるアンクル丈の靴下である。靴下１は、例えば、株式会社島精機製作所製、ホールガーメント（同社登録商標）横編機を使用して編成することができる。
【００３０】
靴下１は、図１及び図２に示すように、着用者の足趾を覆う足趾部３と、足趾部３に連続して形成され足甲、足根小球及び土踏まずを覆う足部４と、足部４に連続して形成され踵を覆う踵部５と、踵部５に連続して形成され踝を覆うレッグ部６と、を備えている。足趾部３には、着用者の第一趾、第二趾、第三趾、第四趾、第五趾のそれぞれを収容する第１袋部３１、第２袋部３２、第３袋部３３、第４袋部３４、第５袋部３５が形成されている。レッグ部６の開口端部（図１及び図２で示す右端）には、口ゴム部６ａが設けられている。
【００３１】
図３（ａ）は、第１編地を示す図であり、図３（ｂ）は、第１編地の編目を編成するＦＴＹ（FilamentTwisted Yarn）を示す図である。靴下１は、少なくとも、着用者の趾骨部Ｂ１（図５及び図６参照）に相当する部分の足底側を覆う領域７１と、着用者の中足骨頭部Ｂ２（図５及び図６参照）に相当する部分の足底側を覆う領域７２、言い換えれば、足趾部の足底Ｍ２（図５及び図６参照）、及び足指の付根部Ｍ３（図５参照）と土踏まずＭ４（図５及び図６参照）との間の盛り上がった足根小球Ｍ５（図５及び図６参照）を覆う領域７２とからなる第１領域７３に配置される編地が、芯糸９２に巻糸９３を巻きつけたＦＴＹ（カバリング糸）９１のみから編成される編目９４により形成される（以後、「第１編地Ｐ１」と称す）。なお、第１編地Ｐ１については、後段にて詳述する。
【００３２】
本実施形態の靴下１では、図１及び図２に示すように、足趾部３のうち着用者の趾骨部Ｂ１（図５及び図６参照）に相当する部分の足底側を覆う領域７１と、足部４のうち着用者の中足骨頭部Ｂ２（図５及び図６参照）に相当する部分の足底側を覆う領域７２とからなる第１領域７３とに加え、足部４のうち着用者の土踏まず部Ｍ４（図５及び図６参照）を覆う領域７４と、踵部５と同じ領域である領域７５と、第１袋部３１〜第５袋部３５において、着用者の足底側から爪先を跨って足甲側にまで延びる先端部分３１ａ〜３５ａを覆う領域８１〜８５と、に配置される編地が第１編地Ｐ１となっている。
【００３３】
また、第１袋部３１〜第５袋部３５において、着用者の爪先を覆う先端跨って足甲側にまで延びる先端部分（先端部近傍）３１ａ〜３５ａを覆う領域８１〜８５に配置される編地には、補強糸が挿入されている。補強糸としては、例えば、捲縮加工を施したナイロンやポリエステル長繊維などを用いることができる。このような構成の靴下１では、走行や歩行に際して荷重や摩擦がかかる部分である、足趾部３の先端部分３１ａ〜３５ａを覆う領域８１〜８５の編地が破損することを低減することができる。
【００３４】
図４（ａ）は、第２編地を示す図であり、図４（ｂ）は、第２編地の編目を編成するＦＴＹ（FilamentTwisted Yarn）を示す図である。靴下１は、少なくとも、着用者の足甲側の少なくとも一部を覆う第２領域８８に配置される編地が、芯糸９６に巻糸９７を巻きつけたＦＴＹ（カバリング糸）９５のみから編成される編目９８により形成される（以後、「第２編地Ｐ２」と称す）。ＦＴＹ９５は、芯糸９６の伸縮性を保ちつつ、巻糸９６により編立時のガイドとの摩擦を抑えることができる編立可能な高伸縮糸である。編地をＦＴＹ９５のみで編成することにより、伸縮性の少ない紡績糸を表糸に使用する場合に比べ、高い伸縮性を確保することができる。なお、第２編地Ｐ２については、後段にて詳述する。
【００３５】
本実施形態の靴下１では、図１及び図２に示すように、足趾部３のうち足甲側を覆う領域８６と、足部４のうち足甲側を覆う領域８７と、レッグ部６のうち足首腹側を覆う領域８９と、レッグ部６のうち足首背側を覆う領域７６とに配置される編地が第２編地Ｐ２となっている。
【００３６】
第１編地Ｐ１について詳細に説明する。第１編地Ｐ１は、図３（ａ）及び（ｂ）に示すように、芯糸９２及び当該芯糸９２に巻きつけられた巻糸９３からなるＦＴＹ９１のみから編成される編目９４により形成されている。
【００３７】
第１編地Ｐ１の芯糸９２としては、２０デニール以上１００デニール以下のポリウレタン長繊維を用いることが好ましい。また、第１編地Ｐ１の巻糸９３としては、単繊維径が２００ｎｍ以上１０００ｎｍ以下、総デニール数が２０以上２００以下の長繊維（フィラメント糸）を用いることが好ましい。本実施形態の靴下１では、２０デニールのポリウレタン長繊維を芯糸９２として用い、単繊維径が７００ｎｍのフィラメントで構成され、総デニール数が３５の長繊維を巻糸９３として用いた。
【００３８】
直径が極めて小さい２００ｎｍ以上１０００ｎｍ以下の複数のフィラメントによって巻糸９３を形成することで、編地と接地面（肌面又は履物）との接触面積が大きくなるため、当該巻糸９３と接触する着用者の肌面又は履物との間に大きな摩擦力が生じる。巻糸９３は、編目９４形成時に裏面（着用者の肌面側）と表面（履物側）との両方に露出しているので、着用時に肌面と靴下１との間の滑りを低減することができると共に、靴下１と履物との間の滑りも低減することができる。このため、走行や歩行に際して、靴下１と着用者の肌面との間のグリップ力及び靴下１と履物との間のグリップ力が保持され、着用者の身体能力を効果的に瞬発力や推進力に変換することができ、結果、運動能力として十分に発揮することができる。また、靴下１を着用した際のずれにくさというメリットも提供することもできる。
【００３９】
また、このような靴下１では、芯糸９２に２０デニール以上１００デニール以下の糸が用いられるので、着用者の足の動きに追随できるフィット性を得ることもできる。これにより、着用者の足と靴下１との一体感を提供することができる。
【００４０】
次に、第２編地Ｐ２について詳細に説明する。第２編地Ｐ２は、図４（ａ）及び（ｂ）に示すように、芯糸９６及び当該芯糸９６に巻きつけられた巻糸９７からなるＦＴＹ９５のみから編成される編目９８により形成されている。
【００４１】
第２編地Ｐ２の芯糸９６としては、２０デニール以上１００デニール以下のポリウレタン長繊維を用いることが好ましい。また、第２編地Ｐ２の巻糸９７としては、捲縮加工が施された２０デニール以上２００デニール以下のナイロン又はポリエステル長繊維を用いることが好ましい。本実施形態の靴下１では、４０デニールのポリウレタン長繊維を芯糸９６として用い、１５０デニールのポリエステル長繊維を巻糸９７として用いた。
【００４２】
本実施形態の靴下１では、第１領域と第２領域とに配置される第１及び第２編地Ｐ１，Ｐ２を形成する編目９４，９８の芯糸９２，９６を同程度のデニール数としているので、靴下１としての形状が維持されやすい。
【００４３】
本実施形態の靴下１では、図１に示す領域７１〜領域７５を覆う第１編地Ｐ１の伸縮率を１００％以上２００％以下となるように設定されている。このような靴下１では、運動時における上記第１編地Ｐ１の伸び率が皮膚の伸び率よりも高い。これにより、ハードな競技においても第１編地Ｐ１の伸びが足の動きに追随し、物理的にも精神的にも運動を阻害することを低減することができる。
【００４４】
本実施形態の靴下１では、図１に示す領域７１〜領域７５を覆う第１編地Ｐ１の履物の中敷に対する静止摩擦係数Ａが０．６以上に設定され、第１編地Ｐ１の着用者の足底に対する静止摩擦係数Ｂが１．０以上に設定され、当該静止摩擦係数Ａは当該静止摩擦係数Ｂよりも小さく設定されている。すなわち、第１編地Ｐ１と履物の中敷との間よりも、動力の発信源である足底と第１編地Ｐ１との間の方が大きな力が働く分、足底と第１編地Ｐ１との間に高い摩擦力が必要になるため、静止摩擦係数Ａよりも静止摩擦係数Ｂを高い値に設定する必要がある。また、これらの値を下回ると十分な摩擦力が得られず運動能力を十分に発揮できない可能性がある。これにより、着用者の肌面と靴下１との間、又靴下１と履物との間の滑りが低減され、ハードな競技を行う場合であっても、グリップ力を発揮することができる。この結果、本実施形態の靴下１では、従来の靴下よりも蹴り出し時の推進力が高く確保される。
【００４５】
次に、上記第１領域に第１編地Ｐ１が配置された靴下１の作用効果について、図５及び図６を用いて説明する。スポーツや競技に際して、着用者が有する運動能力を発揮できるようにするためには、踏ん張る力や蹴り出す力など着用者自身の有する身体能力を効果的に瞬発力や推進力に変換することが必要とされることは前述したとおりである。
【００４６】
本実施形態の靴下１では、図５に示すように、着用者の趾骨部Ｂ１及び中足骨頭部Ｂ２に相当する部分の足底側を覆う領域７１，７２、言い換えれば、着用者の足趾部Ｍ１の足裏Ｍ２の領域７１、及び足指の付根部Ｍ３と土踏まずＭ４との間の盛り上がった足根小球Ｍ５を覆う領域７２である第１領域７３に配置される第１編地Ｐ１が、図３（ａ）、（ｂ）に示すように、芯糸９２及び当該芯糸９２に巻きつけられた巻糸９３からなるＦＴＹ９１のみから編成される編目９４によって形成されている。
【００４７】
このため、第１領域７３に形成される第１編地Ｐ１は、図９に示すような、従来の表糸１０１と裏糸１０２とから編成される編目１０３により形成される編地Ｐ３と比べて厚みが薄くなる。これにより、図５及び図６に示すように、足根小球Ｍ５による地面Ｇのグリップから足趾部の爪先Ｍ６による蹴り出しまでの踏ん張る力や蹴り出す力を、より地肌に近い状態で地面Ｇに伝達し、瞬発力や推進力に変換することができる。また、本実施形態の靴下１では、図９に示すような、従来の表糸１０１と裏糸１０２とから編成される編目１０３により形成される編地Ｐ３のみからなる靴下と比較して重量が軽くなるので、着用者の身体能力が効率的に運動能力に変換される。この結果、スポーツや競技に際して、着用者自身の有する運動能力を効果的に瞬発力や推進力に変換し、運動能力を発揮し易くすることができる。
【００４８】
次に、以下の実験例１及び実験例２を基に、上記実施形態の靴下１の作用効果を説明する。ただし、本発明は、これらの実験例１及び実験例２に示す実施例に限定されるものではない。
【００４９】
（実験例１）
実験例１では、上記実施形態における靴下１と従来のランニングソックスについて、運動時における皮膚の伸びと、靴下１を着用した状態で運動をした時の編地の伸びとについて、図７（ａ）〜（ｃ）に示す（１）〜（８）の８箇所の測定部位についてそれぞれ計測した。なお、図７（ａ）〜（ｃ）に示す（１）〜（８）の測定箇所は、それぞれ以下のとおりである。
【００５０】
（１）中足骨頭部に相当する部分の足底側（幅方向内側部）
（２）中足骨頭部に相当する部分の足底側（幅方向略中心部）
（３）中足骨頭部に相当する部分の足底側（幅方向外側部）
（４）踵部からレッグ部までの背側
（５）レッグ部の腹側
（６）中足骨頭部に相当する部分の足甲側（幅方向内側部）
（７）中足骨頭部に相当する部分の足甲側（幅方向略中心部）
（８）中足骨頭部に相当する部分の足甲側（幅方向外側部）
【００５１】
従来のランニングソックスは、表糸及び裏糸に編成された編目が構成された編地により形成されていた。表糸には、綿・アクリルからなる３２番単糸の紡績糸が用いられ、裏糸には、芯糸に３０デニールのポリウレタン長繊維、巻糸に７５デニールのポリエステル長繊維を用いたＦＴＹが用いられていた。また、爪先部、踵部、中足骨頭部付近を覆う領域がそれぞれパイル編みで形成されており、土踏まず付近を覆う領域にはサポート部（締め付け部）が形成しており、これ以外の部分は平編みで形成されていた。
【００５２】
また、上記実施形態における靴下１を構成する第１編地Ｐ１は、ＦＴＹ９１のみで編目９４が編成されており、芯糸が２０デニールのポリウレタン繊維であり、巻糸が直径７００ｎｍのフィラメントで構成された総デニール数が３５の長繊維であった。また、第２編地Ｐ２は、ＦＴＹ９５のみから編成される編目９８が編成されており、芯糸９６が４０デニールのポリウレタン長繊維であり、巻糸９７が捲縮加工の施された５０デニールのポリエステル長繊維であった。
【００５３】
上記実施形態における靴下１と従来のランニングソックスについて、上記（１）〜（８）のそれぞれの部位の皮膚の伸び率、部位に対応する領域の編地部分の伸び率（もとの状態から何％伸びたか）を測定した。この際、運動時における足の動きとして、図８（ａ）に示すような底屈と、図８（ｂ）に示すような背屈を行った場合を想定した。なお、上記（４）踵部からレッグ部までの背側及び（５）レッグ部の腹側については、それぞれ伸びの絶対値の大きい方（すなわち（４）では底屈、（５）では背屈）との差異を計算した。これらの計算結果が以下に示す表１である。
【表１】
2013185269.tif 000003
【００５４】
従来のランニングソックスでは、（１）、（２）、（３）、（６）の測定部位の伸び（伸縮率）が皮膚の伸び（伸縮率）よりも低くなることが確認された。これにより、当該部位に対応する編地の伸びが運動時における皮膚の伸びに追随せず突っ張り感を感じるとともに、編地がずり落ちるおそれがあることが分かった。
【００５５】
これらの結果に対し、本実施形態の靴下１では、（１）〜（８）の全ての測定部位の伸び（伸縮率）が、皮膚の伸び（伸縮率）よりも大きくなることが確認された。これにより、本実施形態の靴下１では、ハードな競技においても、すべて編地が足の動きに追随し、物理的にも精神的にも運動を阻害しないことが実証された。
【００５６】
（実験例２）
実験例２では、下記（Ａ）〜（Ｃ）の靴下（以下、各サンプルと称す）について、着用者の足底を覆う部分に配置される編地の履物の中敷に対する静止摩擦係数と、当該編地の着用者の足底（足裏肌面）に対する静止摩擦係数とを測定した。具体的には、（ａ）株式会社アシックス製の中敷（インソール）及び（ｂ）足裏肌面のそれぞれの上に、５ｃｍ×５ｃｍの板に装着した各サンプル（（Ａ）〜（Ｃ））を載置し、更にそのサンプル品の上から荷重（１．７３ｋｇ／２５ｃｍ２）を加えた。この状態で、５ｃｍ×５ｃｍの板に装着した各サンプル（（Ａ）〜（Ｃ））を一方向に引っ張ったときの応力（最大静止摩擦力）をそれぞれ測定し、静止摩擦係数（応力／荷重）をそれぞれ算出した。応力の測定には、引張試験機（株式会社イマダ製：デジタルフォースゲージＺＰ５０Ｎ）を用いた。また、各サンプルについて１０回の計測を行い、その平均値を算出した。この結果を以下の表２に示す。
【００５７】
（Ａ）本実施形態の靴下１と、（Ｂ）従来のランニングソックスは、上記実験例１と実験例２とで使用したものと同一のものを使用した。（Ｃ）従来のカジュアル靴下は、表糸及び裏糸に編成された編目が構成された編地により形成されていた。表糸には、綿・アクリルからなる３２番単糸の紡績糸が用いられ、裏糸には、芯糸に３０デニールのポリウレタン長繊維、巻糸に７５デニールのポリエステル長繊維を用いたＦＴＹが用いられていた。従来のランニングソックスは、表糸に、綿・アクリルからなる３２番単糸の紡績糸を用い、裏糸には、芯糸に３０デニールのポリウレタン長繊維、巻糸に７５デニールのポリエステル長繊維を用いたＦＴＹを使用している。また、足底、足甲部全体を覆う領域が平編みで形成されていた。
【００５８】
（Ａ）本実施形態の靴下１
（Ｂ）従来のランニングソックス
（Ｃ）従来のカジュアルソックス
【表２】
2013185269.tif 000004
【００５９】
中敷と各サンプルとの関係について検討すると、（Ａ）本実施形態の靴下１は、応力、静止摩擦係数ともに（Ｂ）従来のランニングソックス、（Ｃ）従来のカジュアルソックスよりも静止摩擦係数が高いことが確認できた。これにより、（Ａ）本実施形態の靴下１が従来の（Ｂ）従来のランニングソックスや（Ｃ）従来のカジュアルソックスよりも高い滑り止め効果を有していることが分かる。
【００６０】
また、足裏肌面と各サンプルとの関係について検討すると、（Ａ）本実施形態の靴下１は、応力、静止摩擦係数ともに（Ｂ）従来のランニングソックス、（Ｃ）従来のカジュアルソックスよりも高いことが確認できた。これにより、（Ａ）本実施形態の靴下１が（Ｂ）従来のランニングソックスや（Ｃ）従来のカジュアルソックスよりも高い滑り止め効果を有していることが分かる。
【００６１】
以上、実験例２により、本実施形態の靴下１は、従来のランニング用ソックスや従来のカジュアルソックスよりも蹴り出し時の推進力を高く確保できることが実証された。
【００６２】
以上、本発明の一実施形態について説明したが、本発明は上記実施形態に限定されるものではなく、発明の趣旨を逸脱しない範囲で種々の変更が可能である。
【００６３】
上記実施形態の靴下１では、図１及び図２に示すように、足趾部３のうち着用者の趾骨部Ｂ１（図５及び図６参照）に相当する部分の足底側を覆う領域７１と、足部４のうち着用者の中足骨頭部Ｂ２（図５及び図６参照）に相当する部分の足底側を覆う領域７２とからなる第１領域７３に加え、他の領域（領域７４，領域７５，先端領域８１〜８５）に配置される編地を第１編地Ｐ１とした例を挙げて説明したがこれに限定されるものではない。本願発明の一実施形態に係る靴下としては、上記領域７１及び領域７２に配置される編地が第１編地Ｐ１で構成されればよく、その他の領域に配置される編地の構成は問わないことは言うまでもない。
【００６４】
例えば、他の実施形態の靴下として、足趾部３のうち着用者の趾骨部Ｂ１（図５及び図６参照）に相当する部分の足底側を覆う領域７１と、足部４のうち着用者の中足骨頭部Ｂ２（図５及び図６参照）に相当する部分の足底側を覆う領域７２のみを第１編地Ｐ１で構成し、他の領域（例えば、領域７４〜７６、領域８１〜８８）に配置される編地を、図９に示すような、着用時に着用者の肌面側に配置される表糸１０１と、肌面側とは反対側に配置される裏糸１０２とにより編成された編目１０３により形成される第３編地Ｐ３としてもよい。もちろん、第１領域７３以外の領域も選択的に第１編地Ｐ１を配置してもよい。
【００６５】
第３編地Ｐ３の編目１０３を編成する表糸１０１としては、例えば、綿やアクリル等の短繊維を紡績した１０番〜６０番程度の紡績糸などを用いることができ、裏糸１０２としては、例えば、芯糸に２０〜４０デニールのポリウレタン長繊維、巻糸に３０〜４０デニールのナイロン又はポリエステル長繊維を使用したＦＴＹなどを用いることができる。
【００６６】
このような構成の靴下であっても、図５に示すように、足根小球Ｍ５による地面Ｇのグリップから足趾部の爪先Ｍ６による蹴り出しまでの踏ん張る力や蹴り出す力を、より地肌に近い状態で、瞬発力や推進力に変換することができる。また、この靴下では、図９に示すような、従来の表糸１０１と裏糸１０２とから編成される編目１０３により形成される第３編地Ｐ３のみからなる靴下と比較して重量が軽くなるので、着用者の身体能力が効率的に運動能力に変換される。この結果、スポーツや競技に際して、着用者自身の有する運動能力を効果的に瞬発力や推進力に変換し、運動能力を発揮し易くすることができる。
【００６７】
上記実施形態の靴下１では、第１編地Ｐ１の編目９４を編成するＦＴＹ９１が、図３（ａ）、（ｂ）に示すような芯糸９２及び当該芯糸９２に巻きつけられた巻糸９３からなる例、すなわちＳＣＹ（single covering yarn）からなる例を挙げて説明したがこれに限定されるものではない。例えば、第１編地Ｐ１の編目９４を編成するＦＴＹとして、芯糸に巻糸を二重に巻きつけたＦＴＹ、すなわちＤＣＹ（double covering yarn）を用いることができる。
【００６８】
上記実施形態の靴下１では、いわゆるアンクル丈のものを例に挙げて説明したが、これに限定されるものではなく、膝まで延びる靴下や、タイツ、足袋などにも適用可能である。
【符号の説明】
【００６９】
１…靴下、３…足趾部、４…足部、５…踵部、６…レッグ部、６ａ…口ゴム部、３１…第１袋部、３２…第２袋部、３３…第３袋部、３４…第４袋部、３５…第５袋部、９１，９５…ＦＴＹ（カバリング糸）、９２，９６…芯糸、９３，９７…巻糸、９４，９８…編目、１０１…表糸、１０２…裏糸、１０３…編目、Ｐ１…第１編地、Ｐ２…第２編地、Ｐ３…第３編地。
【図１】
2013185269.tif 000005
【図２】
2013185269.tif 000006
【図３】
2013185269.tif 000007
【図４】
2013185269.tif 000008
【図５】
2013185269.tif 000009
【図６】
2013185269.tif 000010
【図７】
2013185269.tif 000011
【図８】
2013185269.tif 000012
【図９】
2013185269.tif 000013